(57)【要約】【課題】固定窓枠に設けられた窓戸の閉戸状態をより確実に検知するとともに、該固定窓枠が設けられ管理の対象となる空間の防犯性や安全性を高める。【解決手段】一の固定窓枠２に開閉可能に設けられた一又は複数の窓戸３（３ａ、３ｂ）の開閉状態を管理する窓戸開閉管理システムであって、窓戸の各々に対応して固定窓枠側に設けられる施錠ユニット１０（１０ａ、１０ｂ）と、施錠ユニット１０の各々に対して施錠等の指示を行う施錠制御部と、を備え、施錠ユニットの各々は、対応する窓戸が固定窓枠に対して閉戸状態になっているか否かを検知する開閉検知部と、該窓戸が閉戸状態になっているときに施錠状態とする窓戸施錠部と、を固定窓枠側に設けられたユニット本体内に有し、施錠制御部は、窓戸の全てが閉戸状態になっていると検知されたとき、窓戸施錠部によって該窓戸の全てを施錠状態とする。【選択図】図１
2008223377.tif 000002
【特許請求の範囲】
【請求項１】
一の固定窓枠に開閉可能に設けられた一又は複数の窓戸の開閉状態を管理する窓戸開閉管理システムであって、
前記窓戸のそれぞれに対応して前記固定窓枠側に設けられ、該それぞれの窓戸の施錠および解錠を行う一又は複数の施錠ユニットと、
前記施錠ユニットのそれぞれに対して、該施錠ユニットの施錠及び解錠の指示を行う施錠制御部と、を備え、
前記施錠ユニットのそれぞれは、対応する窓戸が前記固定窓枠に対して閉戸状態になっているか否かを検知する開閉検知部と、該窓戸が閉戸状態になっているときに該固定窓枠に対して該窓戸の開戸動作を制限して施錠状態とする窓戸施錠部と、を前記固定窓枠側に設けられたユニット本体内に有し、
前記施錠制御部は、前記施錠ユニットのそれぞれが有する前記開閉検知部によって前記窓戸の全てが閉戸状態になっていると検知されたとき、該施錠ユニットのそれぞれが有する前記窓戸施錠部によって該窓戸の全てを施錠状態とする
ことを特徴とする窓戸開閉管理システム。
【請求項２】
前記施錠ユニットのそれぞれが有する開閉検知部は、
前記施錠ユニットが対応する前記窓戸が閉戸状態に至るときに該窓戸と接触して外力を受ける外力受け部と、
前記外力受け部が前記外力を受けたとき、前記窓戸が閉戸状態にあると検知する閉戸状態検知部と、
を有することを特徴とする請求項１に記載の窓戸開閉管理システム。
【請求項３】
前記施錠ユニットのそれぞれが有する開閉検知部は、前記外力受け部に連結された弾性部材で形成され該外力受け部によって受けられた外力に対し付勢する付勢部を、更に有し、
前記閉戸状態検知部は、前記外力受け部によって受けられ且つ前記付勢部により付勢された前記外力に基づいて、前記窓戸の閉戸状態を検知する
ことを特徴とする請求項２に記載の窓戸開閉管理システム。
【請求項４】
前記外力受け部は、前記外力を受けたとき一の方向に変位し、
前記閉戸状態検知部は、前記外力受け部の前記一の方向への変位に関連する力であって、該一の方向とは一致する方向ではない所定の方向に作用する力に基づいて、前記窓戸の閉戸状態を検知する
ことを特徴とする請求項２又は請求項３に記載の窓戸開閉管理システム。
【請求項５】
前記一の方向は、前記窓戸の見込み方向であって、
前記所定の方向は、前記窓戸の見付け方向である
ことを特徴とする請求項４に記載の窓戸開閉管理システム。
【請求項６】
前記外力受け部は、前記窓戸が閉戸状態に至るときの該窓戸の移動方向と同一の方向に回転可能なローラー部を有し、
前記窓戸が閉戸状態に至るときに該窓戸は前記ローラー部と接触して該ローラー部が回転するとともに、該ローラー部が該窓戸の移動方向とは異なる方向に押し込まれ、前記閉戸状態検知部がその押し込みを検知することで前記窓戸の閉戸状態の検知が為される
ことを特徴とする請求項２から請求項５の何れかに記載の窓戸開閉管理システム。
【請求項７】
前記施錠ユニットのそれぞれは、前記窓戸施錠部によって前記窓戸が施錠状態とされたときに採られる施錠位置に変位するとともに、該窓戸施錠部による施錠状態が解除された
ときに採られる解錠位置に変位することで、該施錠ユニットが対応する窓戸が施錠状態にあるか否かを示す施錠状態表示部を、更に有し、
ユーザの手動操作によって、前記施錠位置にある前記施錠状態表示部を前記解錠位置に強制的に変位させたとき、前記窓戸施錠部による施錠状態は解除される
ことを特徴とする請求項１から請求項６の何れかに記載の窓戸開閉管理システム。
【請求項８】
前記固定窓枠には前記窓戸として室外側に位置する窓外障子と室内側に位置する窓内障子が設けられ、該窓外障子と該窓内障子とは相対的にスライド動作することで開閉状態を形成し、
前記窓外障子に対応する前記施錠ユニットは、前記固定窓枠の内部であって前記窓外障子のスライド動作と干渉しない位置に配置され、
前記窓内障子に対応する前記施錠ユニットは、前記固定窓枠の室内側表面上に配置される
ことを特徴とする請求項１から請求項７の何れかに記載の窓戸開閉管理システム。
【請求項９】
請求項１から請求項８の何れかに記載の窓戸開閉管理システムを含んで構成され、前記施錠制御部によって前記窓戸の全てが施錠状態とされた後に、前記一の固定窓枠を含んで形成される所定空間のセキュリティを管理するセキュリティシステムであって、
前記施錠制御部に対してユーザの施錠指示を入力する施錠指示入力部と、
施錠状態にある前記窓戸のいずれかにおいて、該施錠状態が解除又は該窓戸と前記固定窓枠との相対位置関係のずれを検知し、その検知結果に基づいて前記所定空間のセキュリティ状態を表示するセキュリティ状態表示部と、
前記施錠指示入力部と前記セキュリティ状態表示部とが並べて配置されるコントロール部と、
を備えることを特徴とするセキュリティシステム。
【請求項１０】
一の固定窓枠に開閉可能に設けられた一又は複数の窓戸の開閉状態を管理する窓戸開閉管理システムにおいて、該窓戸の施錠および解錠を行う施錠ユニットであって、
前記固定窓枠側に設けられるユニット本体と、
前記ユニット本体内に設けられ、前記窓戸が閉戸状態に至るときに該窓戸と機械的に接触して外力を受け、該外力により変位する接触変位部と、
前記接触変位部と係合する係合部を有し、前記窓戸が閉戸状態ではないときには該係合部と該接触変位部とが係合し、該窓戸が閉戸状態に至ると該接触変位部の変位により該係合部と該接触変位部との係合が解消する、前記ユニット本体内に設けられた伝達部と、
前記伝達部における前記係合部と前記接触変位部との係合が解消されると、前記伝達部を、前記接触変位部の変位方向とは異なる所定方向に変位させる、前記ユニット本体内に設けられた変位駆動部と、
前記変位駆動部による前記伝達部の変位に伴って変位し、前記窓戸を前記固定窓枠に対して施錠および解錠する、前記ユニット本体内に設けられた施錠部と、
を備えることを特徴とする施錠ユニット。
【請求項１１】
前記変位駆動部による前記伝達部の変位の開始を決定するスイッチ部を更に備え、
前記接触変位部は、前記窓戸からの外力により変位されるとき、該変位に従って該接触変位部と前記係合部との係合が解消されるとともに、前記スイッチ部に接触し、
前記スイッチ部は、前記接触変位部との接触により前記変位駆動部による前記伝達部の変位を許可する
ことを特徴とする請求項１０に記載の施錠ユニット。
【請求項１２】
前記接触変位部の変位方向は、前記窓戸の見込み方向であって、
前記伝達部の変位方向である前記所定方向は、前記窓戸の見付け方向である
ことを特徴とする請求項１０又は請求項１１に記載の施錠ユニット。
【発明の詳細な説明】
【技術分野】
【０００１】
本発明は、固定窓枠に開閉可能に設けられた窓戸の開閉状態を管理する窓戸開閉管理システム、該窓戸開閉管理システムを用いたセキュリティシステム、および該窓戸開閉管理システムで用いられる施錠のための施錠ユニットに関する。
【背景技術】
【０００２】
従来から住居や病院等の生活空間で防犯や危険防止の目的で、窓や戸の施錠や解錠に関する施錠状態を管理する装置が利用されている。例えば、スライド開閉式の窓戸において、窓戸の開いている状態を検知する検知部と、窓戸の開閉動作を制限する係止部とを有する管理装置が開示されている（例えば、特許文献１を参照。）。この管理装置においては、検知部で窓戸が所定量以上に開いている状態であるときには係止部の動作が制限される。このようにすることで、係止部が過って作動して、窓戸を完全に閉じることができない状態に至ることを回避することができる。
【０００３】
また、窓戸の開閉状態を検知する装置として、ローラーを用いた検知装置が開示されている（例えば、特許文献２を参照。）。この技術では、ローラーを介して窓戸と機械的に接触するとともに、このローラーは窓戸の見込み方向に引き込み可能に配置されているため、窓戸の開閉状態検知を精度良く且つ安全に行うことが可能となる。
【０００４】
ここで、電子錠を用いた従来の窓戸のセキュリティシステムについて、図２１および図２２に基づいて説明する。先ず図２１に示すセキュリティシステムは、固定窓枠２に二枚の引き違い窓戸（右側の引き違い窓戸を３ａ、左側の引き違い窓戸を３ｂとする。）が設けられ、これらの引き違い窓戸の開閉状態を管理する。引き違い窓戸３ａ、３ｂが閉戸状態にあるとき、固定窓枠の中央部近傍で両者が部分的に重複する位置で両者のスライド動作を制限するように、クレセント錠５０が設けられている。このクレセント錠５０では、フック部が引き違い窓戸３ａ側に設けられ、フック受け部が引き違い窓戸３ｂ側に設けられている。更に、このクレセント錠５０とは別に電子錠６０が設けられ、この電子錠６０はコントローラ７０により無線制御される。
【０００５】
このように構成される図２１のセキュリティシステムでは、ユーザによりクレセント錠５０で引き違い窓戸３ａ、３ｂが施錠され、更にコントローラ７０を介して電子錠６０による施錠が行われる。この後、コントローラ７０による引き違い窓戸３ａ、３ｂのセキュリティ管理が開始され、例えば当該管理下において何らかの理由で引き違い窓戸３ａ、３ｂの閉戸状態が崩れ、何れかの窓戸が開いた状態となると、それを検知してユーザに対してアラームを発生する。
【０００６】
また図２２には、同様に固定窓枠２に設けられた引き違い窓３ａ、３ｂのセキュリティシステムが示されている。この引き違い窓３ａ、３ｂにも同様にクレセント錠５０が設けられているが、図２１に示すような電子錠は設けられていない。その代わりに、各引き違い窓の上側隅にマグネットスイッチ８０がそれぞれ設けられている。このマグネットスイッチ８０は、引き違い窓が所定の閉戸状態に至ったとき、ＯＮ信号（或いはＯＦＦ信号）が出力されるスイッチである。また、これらのマグネットスイッチ８０とコントローラ９０が通信線８１で結ばれており、マグネットスイッチ８０からの出力信号をコントローラ９０が受信する。
【０００７】
このように構成される図２２のセキュリティシステムでは、ユーザによりクレセント錠５０で引き違い窓３ａ、３ｂが施錠されると、両マグネットスイッチ８０からＯＮ信号、
即ち各引き違い窓が閉戸状態になっていることを意味する信号がコントローラ９０に出される。その信号をコントローラ９０が受信すると、コントローラ９０による引き違い窓戸３ａ、３ｂのセキュリティ管理が開始され、例えば当該管理下において何らかの理由で引き違い窓戸３ａ、３ｂの閉戸状態が崩れ、マグネットスイッチ８０からのＯＮ信号（或いはＯＦＦ信号）が途絶えると、それを検知してユーザに対してアラームを発生する。
【特許文献１】特開２００３−７４２４７号公報
【特許文献２】実開平７−３５６９０号公報
【特許文献３】実用新案登録第３１１０２７０号
【発明の開示】
【発明が解決しようとする課題】
【０００８】
窓戸の開閉状態を管理する場合、管理の対象となる全ての窓戸においてその閉戸状態を確実に検知するとともに、その閉戸状態において各窓戸の開戸動作を制限し施錠状態としなければならない。このようにしなければ、管理の対象となる窓戸を有する空間（以下、「所定空間」と言う。）の防犯性や安全性を確かなものとすることが困難となるからである。
【０００９】
ここで、固定窓枠に設けられた窓戸については、その開戸動作を円滑に行うために固定窓枠と窓戸との間にはある程度のクリアランスが設けられるのが通常である。しかし、窓枠の取り付け状態等によってはこのクリアランスが大きくなり、固定窓枠に対して窓戸の相対位置が若干ながら不確か状態となることは避けられない。この場合、窓戸の閉戸状態を正確に検知することが難しくなり、またより正確に検知しようとすればそのための検知装置が大きくならざるを得ない。
【００１０】
本発明は、前記の問題に鑑みてなされたものであり、固定窓枠に設けられた窓戸の閉戸状態をより確実に検知するとともに、該固定窓枠が設けられ管理の対象となる所定空間の防犯性や安全性を高めるための窓戸の開閉状態を管理する管理システムを提供することを目的とする。
【課題を解決するための手段】
【００１１】
上記課題を解決すべく、本発明は管理の対象となる窓戸毎に、その窓戸の施錠および解錠を行う施錠ユニットを設け、全ての施錠ユニットを一括で制御することとした。そして、この施錠ユニットは窓戸が設けられる固定窓枠側に設けることとした。このようにすることで、窓戸の閉戸状態をより確実に検知し、窓戸の施錠を安全に制御することが可能となる。
【００１２】
詳細には、本発明は、一の固定窓枠に開閉可能に設けられた一又は複数の窓戸の開閉状態を管理する窓戸開閉管理システムであって、前記窓戸のそれぞれに対応して前記固定窓枠側に設けられ、該それぞれの窓戸の施錠および解錠を行う一又は複数の施錠ユニットと、前記施錠ユニットのそれぞれに対して、該施錠ユニットの施錠及び解錠の指示を行う施錠制御部と、を備え、前記施錠ユニットのそれぞれは、対応する窓戸が前記固定窓枠に対して閉戸状態になっているか否かを検知する開閉検知部と、該窓戸が閉戸状態になっているときに該固定窓枠に対して該窓戸の開戸動作を制限して施錠状態とする窓戸施錠部と、を前記固定窓枠側に設けられたユニット本体内に有し、前記施錠制御部は、前記施錠ユニットのそれぞれが有する前記開閉検知部によって前記窓戸の全てが閉戸状態になっていると検知されたとき、該施錠ユニットのそれぞれが有する前記窓戸施錠部によって該窓戸の全てを施錠状態とする。
【００１３】
本発明に係る窓戸開閉管理システムにおいては、一の固定窓枠に設けられた開閉可能な一又は複数の窓戸の開閉状態が管理の対象となる。そして、このシステムの特徴点は、各
窓戸に対応して一又は複数の施錠ユニットが固定窓枠側に設けられ、且つこの一又は複数の施錠ユニットを一括して施錠制御部が制御する点である。この施錠ユニットは、対応する窓戸が閉戸状態、即ち施錠を行うに適した状態となっているか否かを検知する開閉検知部と、この開閉検知部によって窓戸が閉戸状態になっていると検知されたときにその窓戸を施錠状態とする窓戸施錠部とを、ユニット本体内に一まとめにした状態で有している。この施錠ユニットは、上記の通り固定窓枠側に設けられるため当然に施錠ユニット内の各構成要素も固定窓枠側に対して相対位置が厳密に管理され得る。
【００１４】
ここで、上述したように窓戸と固定窓枠の間にはある程度のクリアランスが存在するが、本発明に係る窓戸開閉管理システムにおいては施錠ユニットを固定窓枠側に設けているため、このクリアランスの影響を可及的に小さくできる。即ち、窓戸の位置のセンシングを行う開閉検知部を固定窓枠側に固定することで、該クリアランスの影響を抑制し得るものである。更に、各窓戸毎にこの開閉検知部を有する施錠ユニットを設けることで、クリアランスの影響を避け、窓戸の閉戸状態検出の精度を高精度に維持することが可能である。また、このように、施錠ユニットを各窓戸毎に設けることになるが、これらの施錠ユニットは施錠制御部によって一括して管理されるため、本システムのユーザの操作は煩雑とはならない。
【００１５】
尚、施錠制御部による各施錠ユニットの制御は、開閉検知部によって窓戸の全てが閉戸状態になっていると検知されたとき、窓戸施錠部を介した窓戸の全ての施錠状態化を許可するものである。このようにすることで、窓戸が閉戸状態に至っていない状態で生じる施錠忘れもしくは施錠失敗を確実に回避することができ、固定窓枠が設けられ管理の対象となる所定空間の防犯性や安全性を高めることが可能となる。尚、この施錠制御部による施錠状態化に失敗した場合は、ユーザに対してその失敗した旨を通知するのが好ましい。
【００１６】
ここで、上記の窓戸開閉管理システムにおいて、前記施錠ユニットのそれぞれが有する開閉検知部は、前記施錠ユニットが対応する前記窓戸が閉戸状態に至るときに該窓戸と接触して外力を受ける外力受け部と、前記外力受け部が前記外力を受けたとき、前記窓戸が閉戸状態にあると検知する閉戸状態検知部と、を有するようにしてもよい。
【００１７】
即ち、開閉検知部を、窓戸と機械的に接触することで生じる外力を利用することで、窓戸の閉戸状態をより確実に検知しようとするものである。窓戸が開戸状態から閉戸状態に至ると、外力受け部が窓戸と接触し、該窓戸から外力を受ける。そして、この受けた外力を基準に、窓戸が閉戸状態、即ち窓戸を施錠するに適した状態に至っているか否かを検知するものである。このように機械的な接触を介することで、窓戸の閉戸状態の検知を確かなものとすることができる。
【００１８】
更に、上記窓戸開閉管理システムにおいて、前記施錠ユニットのそれぞれが有する開閉検知部は、前記外力受け部に連結された弾性部材で形成され該外力受け部によって受けられた外力に対し付勢する付勢部を、更に有し、前記閉戸状態検知部は、前記外力受け部によって受けられ且つ前記付勢部により付勢された前記外力に基づいて、前記窓戸の閉戸状態を検知するようにしてもよい。
【００１９】
開閉検知部が上記のように窓戸との機械的接触により、該窓戸の閉戸状態を検知しようとする場合、窓戸から外力受け部に伝達される外力の衝撃により、開閉検知部に好ましくない影響を及ぼす可能性がある。そこで、上記のように付勢部を設けることで外力受け部が受ける外力を付勢部によってある程度吸収することで、外力の衝撃を和らげることが可能となり、以て施錠ユニットの故障回避に寄与する。
【００２０】
ここで、上述までの窓戸開閉管理システムにおいて、前記外力受け部は、前記外力を受
けたとき一の方向に変位し、前記閉戸状態検知部は、前記外力受け部の前記一の方向への変位に関連する力であって、該一の方向とは一致する方向ではない所定の方向に作用する力に基づいて、前記窓戸の閉戸状態を検知するようにしてもよい。即ち、外力受け部に関する一の方向と閉戸状態検知部による閉戸状態の検知に関する所定方向とを一致させると、結果的に外力受け部と閉戸状態検知部とを一直線上に配置することになり、配置に要するスペースが大きくならざるを得ない。そこで、該一の方向と該所定方向とを一致させないようにすることで、施錠ユニットのユニット本体内における外力受け部と閉戸状態検知部の配置を、省スペース的に行うことができる。例えば、前記一の方向は、前記窓戸の見込み方向とし、前記所定の方向は、前記窓戸の見付け方向としてもよい。尚、窓戸の見付け方向とは、窓戸の見付け面における垂直方向又は平行方向を示す。
【００２１】
ここで、上述までの窓戸開閉管理システムにおいて、前記外力受け部は、前記窓戸が閉戸状態に至るときの該窓戸の移動方向と同一の方向に回転可能なローラー部を有し、前記窓戸が閉戸状態に至るときに該窓戸は前記ローラー部と接触して該ローラー部が回転するとともに、該ローラー部が該窓戸の移動方向とは異なる方向に押し込まれ、前記閉戸状態検知部がその押し込みを検知することで前記窓戸の閉戸状態の検知が為されるようにしてもよい。外力受け部がローラー部を有することで、窓戸の移動によって生じる該窓戸とローラー部との摩擦を効率的に逃がして、外力受け部に不要な外力（例えば、せん断力）が働くのを回避して外力受け部の耐久性を維持することが可能となる。また、窓戸の閉戸状態検知に必要な外力によっては、ローラー部が、その回転動作とは違う動作、即ち押し込み動作を為されることで、閉戸状態に関連する外力をその押し込みを介して検知することが可能である。
【００２２】
ここで、上述までの窓戸開閉管理システムにおいては、前記施錠ユニットのそれぞれは、前記窓戸施錠部によって前記窓戸が施錠状態とされたときに採られる施錠位置に変位するとともに、該窓戸施錠部による施錠状態が解除されたときに採られる解錠位置に変位することで、該施錠ユニットが対応する窓戸が施錠状態にあるか否かを示す施錠状態表示部を、更に有し、ユーザの手動操作によって、前記施錠位置にある前記施錠状態表示部を前記解錠位置に強制的に変位させたとき、前記窓戸施錠部による施錠状態は解除されるようにしてもよい。
【００２３】
このように窓戸の施錠状態と解錠状態を示す施錠状態表示部を設けることで、ユーザは全ての窓戸がどちらの状態に置かれているのかを容易に知ることが可能となる。更に、この施錠状態表示部において施錠位置を解錠位置に強制的に、ユーザが手動で切換えることで、施錠ユニットにおける窓戸施錠部による施錠状態は解除される。このようにすることで、ユーザが過って全窓戸を施錠状態にしたとき、容易にその解除を行うことができる。
【００２４】
ここで、上述までの窓戸開閉管理システムにおいて、前記固定窓枠には前記窓戸として室外側に位置する窓外障子と室内側に位置する窓内障子が設けられ、該窓外障子と該窓内障子とは相対的にスライド動作することで開閉状態を形成し、前記窓外障子に対応する前記施錠ユニットは、前記固定窓枠の内部であって前記窓外障子のスライド動作と干渉しない位置に配置され、前記窓内障子に対応する前記施錠ユニットは、前記固定窓枠の室内側表面上に配置されるようにしてもよい。このように、本発明に係る窓戸開閉管理システムでは、施錠ユニットを、通常よく使用される二枚引戸（窓外障子と窓内障子）に対して、容易に設けることができる。
【００２５】
ここで、上述までの窓戸開閉管理システムは、所定空間のセキュリティを管理するセキュリティシステムに容易に適用できる。例えば、上記窓戸開閉管理システムを含んで構成され、前記施錠制御部によって前記窓戸の全てが施錠状態とされた後に、前記一の固定窓枠を含んで形成される所定空間のセキュリティを管理するセキュリティシステムであって
、前記施錠制御部に対してユーザの施錠指示を入力する施錠指示入力部と、施錠状態にある前記窓戸のいずれかにおいて、該施錠状態が解除又は該窓戸と前記固定窓枠との相対位置関係のずれを検知し、その検知結果に基づいて前記所定空間のセキュリティ状態を表示するセキュリティ状態表示部と、前記施錠指示入力部と前記セキュリティ状態表示部とが並べて配置されるコントロール部と、を備えるようにしてもよい。
【００２６】
上述したように、施錠制御部によって固定窓枠に設けられた窓戸を確実に施錠状態にできるのであるから、上記の施錠指示入力部とセキュリティ状態表示部を設けることで、ユーザは容易に所定空間のセキュリティを管理することが可能である。ここで、コントロール部に施錠指示入力部とセキュリティ状態表示部を並べて配置することで、ユーザの利便性は更に向上する。
【００２７】
本発明を、窓戸開閉管理システムとは異なる側面から捉えることも可能である。例えば、窓戸開閉管理システムで用いられる施錠ユニットの側面から捉えると、本発明は、一の固定窓枠に開閉可能に設けられた一又は複数の窓戸の開閉状態を管理する窓戸開閉管理システムにおいて、該窓戸の施錠および解錠を行う施錠ユニットであって、前記固定窓枠側に設けられるユニット本体と、前記ユニット本体内に設けられ、前記窓戸が閉戸状態に至るときに該窓戸と機械的に接触して外力を受け、該外力により変位する接触変位部と、前記接触変位部と係合する係合部を有し、前記窓戸が閉戸状態ではないときには該係合部と該接触変位部とが係合し、該窓戸が閉戸状態に至ると該接触変位部の変位により該係合部と該接触変位部との係合が解消する、前記ユニット本体内に設けられた伝達部と、前記伝達部における前記係合部と前記接触変位部との係合が解消されると、前記伝達部を、前記接触変位部の変位方向とは異なる所定方向に変位させる、前記ユニット本体内に設けられた変位駆動部と、前記変位駆動部による前記伝達部の変位に伴って変位し、前記窓戸を前記固定窓枠に対して施錠および解錠する、前記ユニット本体内に設けられた施錠部と、を備える。
【００２８】
本発明に係る施錠ユニットは、上記の窓戸開閉管理システムの場合と同様に、固定窓枠側に設けられる。そして、この施錠ユニットは、ユニット本体内に接触変位部と、伝達部と、変位駆動部と、施錠部とを一まとめに有している。接触変位部と伝達部とは窓戸が閉戸状態であるか否かに応じて、係合部を介した係合状態、非係合状態が選択的に切換えられる。この係合部を介した両者の関係が非係合状態であるとき、伝達部が変位可能な状態となり、その状態で変位駆動部によって伝達部を変位させることで、施錠部を介して窓戸の施錠および解錠が可能となる。即ち、本発明に係る施錠ユニットでは、接触変位部と伝達部との相対関係を、窓戸と接触部位との機械的な接触により切換えることで、窓戸の施錠および解錠を可能とする。従って、当該施錠ユニットによれば、窓戸が閉戸状態になったときに窓戸の施錠が確実に可能になるため、施錠による、固定窓枠が設けられ管理の対象となる所定空間の防犯性や安全性を確かなものすることができる。
【００２９】
上記の施錠ユニットにおいて、前記変位駆動部による前記伝達部の変位の開始を決定するスイッチ部を更に備える場合、前記接触変位部は、前記窓戸からの外力により変位されるとき、該変位に従って該接触変位部と前記係合部との係合が解消されるとともに、前記スイッチ部に接触し、前記スイッチ部は、前記接触変位部との接触により前記変位駆動部による前記伝達部の変位を許可するようにしてもよい。即ち、変位駆動部において、該変位駆動部と伝達部の係合の解消と、スイッチ部を介した変位駆動部による駆動の開始のタイミングを同期させることで、窓戸の閉戸状態と施錠を連動させることが可能となる。
【００３０】
尚、前記接触変位部の変位方向は、前記窓戸の見込み方向であって、前記伝達部の変位方向である前記所定方向は、前記窓戸の見付け方向であるようにしてもよい。このように接触変位部の変位方向と所定方向とを一致させないようにすることで、施錠ユニットの省
スペース化を図ることができる。この点は、既に述べたとおりである。尚、窓戸の見付け方向とは、窓戸の見付け面における垂直方向又は平行方向を示す。
【発明の効果】
【００３１】
本発明によれば、固定窓枠に設けられた窓戸の閉戸状態をより確実に検知するとともに、該固定窓枠が設けられ管理の対象となる所定空間の防犯性や安全性を高めることが可能となる。
【発明を実施するための最良の形態】
【００３２】
本発明に係る窓戸開閉管理システム、該システムを含んで構成されるセキュリティシステム、およびこれらのシステムで用いられる施錠ユニットの実施の形態について、図面に基づいて詳細に説明する。
【実施例１】
【００３３】
図１は、本発明の実施の形態に係る窓戸開閉管理システムおよび該システムを含んで構成されるセキュリティシステム（以下、単に「セキュリティシステム」と言う。）１の概略構成を示す図である。セキュリティシステム１は、固定窓枠２に設けられた引き違い式の窓戸（以下、単に「窓戸」と言う。）３ａ、３ｂの開閉状態を管理し、これらの窓戸が設けられる所定空間の安全性を維持する。尚、二つの窓戸について区別して表現する必要がない場合には、以降では「窓戸３」のように参照番号のアルファベットを省略する場合がある。この固定窓枠２は、住居等の居室やその他防犯性や安全性が求められる所定空間の出入り口等を形成するために設けられる。従って、固定された固定窓枠２に対して窓戸３ａ、３ｂがそれぞれ互いにスライド動作することで、当該所定空間への出入りが可能となる。
【００３４】
セキュリティシステム１では、窓戸３ａ、３ｂに対してそれぞれ施錠ユニット１０ａ、１０ｂが設けられる。尚、窓戸３の場合と同様に、二つの施錠ユニットについて区別して表現する必要がない場合には、以降では「施錠ユニット１０」のように参照番号のアルファベットを省略する場合がある。施錠ユニット１０は、固定窓枠２側に設けられ、対応する窓戸を、閉戸状態において固定窓枠２に対して連結し、その相対移動を制限するように機能する。以下に施錠ユニット１０の機能について、図２に基づいて説明する。
【００３５】
図２（ａ）は、窓戸３が閉戸状態に至っていないとき、即ち施錠ユニット１０による窓戸３の施錠を行うべき状態に至っていないときの、施錠ユニット１０の概略構成を示す図であり、図２（ｂ）は、窓戸３が閉戸状態に至ったときの施錠ユニット１０の概略構成を示す図である。尚、施錠ユニット１０のより詳細な構成については後述し、図２においてはその構成を簡潔に説明する。施錠ユニット１０は、ユニット本体であるケーシング１１の内部に、窓戸３が閉戸状態にあるか否かを検知するための開閉検知センサ１２と、窓戸３に対して施錠を行う施錠鍵部１４とが一まとめに収められている。そして、このケーシング１１は、固定窓枠２側に固定されるものである。
【００３６】
開閉検知センサ１２は、窓戸３が閉戸状態に至るとその窓戸３と接触部１２ａが機械的に接触することで、窓戸３の閉戸状態を検知することが可能となる。そこで、図２（ｂ）に示すように、窓戸３が施錠ユニット１０に対して接近して閉戸状態になると、窓戸３の表面が接触部１２ａをセンサ本体内に押し込む結果となり、その押し込みによって開閉検知センサ１２は窓戸３の閉戸状態を検知する。そして、その検知後、施錠鍵部１４が窓戸３に対して駆動され、窓戸３が施錠鍵部１４を介して固定窓枠２側に連結固定される。このとき、図２（ｂ）に示すように施錠鍵部１４が窓戸３を施錠した状態となると、施錠鍵部１４が、ケーシング１１内に設けられた施錠確認センサ１３の接触部１３ａと接触する。この施錠確認センサ１３も開閉検知センサ１２と同じ原理で、接触部１３ａと施錠鍵部
１４とが接触することで接触部１３ａが押し込まれ、その押し込みを以て窓戸の施錠状態を確認するセンサである。以上より、施錠ユニット１０は、窓戸３の閉戸状態の検知と該窓戸の施錠とを行う機能を有するものであり、それは固定窓枠２側に設置される。
【００３７】
ここで、再び図１に戻ると、施錠ユニット１０ａ、１０ｂは、施錠指示部５およびセキュリティ制御部６に、通信線４を介して電気的に接続されている。施錠指示部５は、図３に示すように、施錠指示ボタン５ａと、窓戸３の施錠状態を表示する施錠表示部５ｂと解錠表示部５ｃが並べて配されている。施錠指示ボタン５ａは、ユーザが各施錠ユニット１０に対して施錠指示を出すためのボタンである。また、施錠表示部５ｂと解錠表示部５ｃは、施錠ユニット１０が施錠又は解錠の何れの状態になっているか表示するための表示部であり、該当する状態に対応する何れかの表示部が点灯することでユーザに施錠状態を知らせる。
【００３８】
また、セキュリティ制御部６は、施錠ユニット１０によって窓戸３が施錠状態となったとき、窓戸３の閉戸状態が崩されたり、窓戸３が固定窓枠２に対して相対移動したりすることを検知して、ユーザにアラームを出す。これによりセキュリティシステム１は、上記所定空間の防犯性、安全性を高く維持できる。尚、セキュリティ制御部６は、既存の防犯システム（例えば、セキュリティインターホン等）であってもよく、また施錠指示部５とシステムを接続することも可能である。
【００３９】
ここで、図４〜図１１および図１２Ａ、１２Ｂに基づいて、施錠ユニット１０の具体的な構造について説明する。尚、これらの図面おいて示される施錠ユニットは、施錠ユニット１００と表す。図４は、窓戸３が閉戸状態にあるときの施錠ユニット１００と窓戸３の相対関係を、窓戸３の上部からの視点で示した図であり、図５は、図４に示す状態を窓戸３の横断面側からの視点で示した図である。
【００４０】
図４に示すように、施錠ユニット１００は固定窓枠２に取り付けられ、施錠ユニット１００の一部を構成するローラー部１０１が、窓戸３の一部であってその側部に設けられた窓戸縁部１５０と接触可能となるように、施錠ユニット１００から飛び出した状態で配置されている。尚、後述するように、ローラー部１０１は窓戸縁部１５０と接触すると施錠ユニット１００側に押し込まれるように動作するが、図４では押し込まれた状態ではなく、敢えてローラー部１０１と窓戸縁部１５０とを重ねて示している。この点は、図５においても同様である。
【００４１】
施錠ユニット１００は、主に、ケーシングと、そのケーシング内に設けられるローラー部１０１、ローラー保持部１０２、ローラー変位部１０３、施錠鍵部１０４、付勢バネ１０５、可動板１０６、第一のマイクロスイッチ１０７、第二のマイクロスイッチ１０８、ソレノイド１０９、付勢バネ１１０、連結板１１１、解錠ボタン１１２とで構成される。ここで、制御ユニット１００の理解のために、施錠ユニット１００を、窓戸の閉戸状態を検知するための閉戸状態検知部と、窓戸３に施錠を行う施錠部と、施錠ユニット１００における施錠状態を示す施錠表示部とに区分けして、以下にそれぞれを説明する。
【００４２】
＜閉戸状態検知部について＞
閉戸状態検知部は、ローラー部１０１、ローラー保持部１０２、ローラー変位部１０３、付勢バネ１０５、可動板１０６、第一のマイクロスイッチ１０７で構成される。ローラー部１０１は、引き違い式である窓戸３のスライド方向に回転可能なようにローラー保持部１０２によって軸支されている。更に、このローラー保持部１０２は、軸状のローラー変位部１０３と連結されるとともに、その端部において付勢バネ１０５によって付勢されている。従って、窓戸３がスライド動作によって閉戸状態へ至ろうとすると、窓戸３の窓戸縁部１５０がこのローラー部１０１と接触する。その結果、ローラー部１０１は、窓戸
縁部１５０との摩擦により回転するとともに、窓戸３側から施錠ユニット１００内に押し込まれる外力（以下、「押し込み力」と言う。）を受ける。
【００４３】
更に、押し込み力を受けたローラー部１０１は、ローラー変位部１０３を、施錠ユニット１００内に押し込む方向であり窓戸３の見込み方向に変位させる。このとき、ローラー変位部１０３は、付勢バネ１０５による付勢力に抗しながら変位することになる。ここで、ローラー変位部１０３には可動板１０６が連結されており、ローラー変位部１０３の変位にともなって、同一方向に変位する。図６に基づいて、以下に可動板１０６の説明を行う。
【００４４】
図６（ａ）は、可動板１０６の正面図であり、図６（ｂ）は、その側面図である。尚、図５に示す可動板１０６の状態は、図６（ｂ）に示す状態と同じである。可動板１０６は、側面側から見たとき、コの字形状をした本体部１０６ｂと、それに連続する脚部１０６ｃから構成される。本体部１０６ｂの先端部１０６ａは、コの字形状の内部に若干折れ曲がった状態となっており、この先端部１０６ａは、マイクロスイッチ１０７の感知部に接触し得る。また、脚部１０６ｃには貫通穴１０６ｅが設けられ、この貫通穴１０６ｅを介してローラー変位部１０３と可動板１０６が連結されている。従って、押し込み力によってローラー変位部１０３が窓戸３の見込み方向に変位すると、同様に可動板１０６も窓戸３の見込み方向に変位する。その結果、先端部１０６ａがマイクロスイッチ１０７の検知部と接触、押し込むことで、マイクロスイッチ１０７がＯＮ状態になる。このＯＮ状態を表すＯＮ信号は、通信線４を経て施錠指示部５に伝わり、そこでＯＮ信号の受信をもって窓戸３が閉戸状態に至ったと判断される。
【００４５】
＜施錠部について＞
施錠部は、施錠鍵部１０４、ソレノイド１０９、付勢バネ１１０、連結板１１１で構成される。連結板１１１は、先に説明した可動板１０６と連動して動作するものであり、図７〜図９に基づいて連結板１１１の説明を行う。図７（ａ）は連結板１１１の側面図であり、図７（ｂ）は連結板１１１の正面図であり、図５に示す連結板１１１の状態は、図７（ｂ）に示す状態と同様である。尚、連結板１１１は、図５に示すように施錠ユニット１００内の上部から下部までの大部分にわたって位置するが、図７には、上記閉戸状態検知部および施錠鍵部１０４の近傍の連結板１１１の下部を部分的に示している。
【００４６】
連結板１１１は、その最下部において、第一脚部１１１ａと第二脚部１１１ｂとから形成される二股形状を有している。第二脚部１１１ｂは、第一脚部１１１ａと比べて長く、両脚部の先端部には、突起部１１１ｃと１１１ｄが設けられている。更に、連結板１１１は、この二股形状の部分に繋がる第一胴部１１１ｅと第二胴部１１１ｆが設けられるとともに、両胴部の間は比較的幅細く繋がれることで、切欠部１１１ｇが形成されている。ここで、図６に示すように可動板１０６の脚部１０６ｃには、その側部方向に突出する突起部１０６ｄが設けられており、この突起部１０６ｄは、切欠部１１１ｇに対して係合状態又は非係合状態を選択的に採ることができるように形成されている。即ち、突起部１０６ｄが切欠部１１１ｇと係合状態を形成している場合、連結板１１１の動作は可動板１０６によって制限されている。しかし、突起部１０６ｄが切欠部１１１ｇと非係合状態となると、連結板１１１の動作は可動板１０６によって制限されなくなり、この係合状態から非係合状態への移行は、上述した押し込み力によるローラー変位部１０３の、窓戸３の見込み方向への変位によって発生する。従って、切欠部１１１ｇの開口部は、そのローラー変位部１０３の変位方向である、窓戸３の見込み方向に開口している。
【００４７】
ここで、図８に基づいて、可動板１０６と連結板１１１の係合状態の移行について説明する。図８（ａ）は、可動板１０６と連結板１１１とが、突起部１０６ｄと切欠部１１１ｇとを介して係合状態にある状態を示している。即ち、この状態においては、ローラー部
１０１が窓戸３の窓戸縁部１５０から押し込み力をまだ受けていない状態であるから、窓戸３は「閉戸状態にない状態」である。尚、この状態では、可動板１０６の先端部１０６ａは、マイクロスイッチ１０７の検知部１０７ａに極めてかすかに接触している状態であって、マイクロスイッチ１０７はＯＦＦ状態にあるので、施錠指示部５は、窓戸３は「閉戸状態にない状態」であることを確かに認識している。
【００４８】
このとき、突起部１０６ｄ（図中斜線で示されている）は、係合部１１１ｇに係合している状態である。図９はその係合状態を立体的に示しており（連結板１１１および可動板１０６以外の構成要素は図示省略）、そのうち図９（ａ）は連結板１１１側から見た状態、図９（ｂ）は可動板１０６側から見た状態を表す。この係合状態によって、連結板１１１は、後述する施錠のためのスライド動作（図面の上下方向のスライド動作）が制限されている状態である。換言すると、窓戸３が閉戸状態にないときは、連結板１１１を介した施錠を行うことはできず、以て無用な施錠による窓戸等の破損や、不十分な施錠による安全性、防犯性の低下を十分に回避できる。
【００４９】
次に、窓戸３の窓戸縁部１５０から押し込み力がローラー部１０１に伝えられると、ローラー部１０１や可動板１０６等が窓戸３の見込み方向に変位する。この変位方向は、図９では白抜き矢印で示されている。そして可動板１０６等が変位した結果、図８（ｂ）に示す状態に至る。この状態では、突起部１０６ｄが係合部１１１ｇから完全に飛び出し、且つ連結板１１１の第一胴部１１１ｅの右側側部よりも若干飛び出した状態となる。更に、図８（ｂ）の状態では、可動板１０６の先端部１０６ａが、マイクロスイッチ１０７の検知部１０７ａと完全に接触し、それを垂直方向に押し込むことで、マイクロスイッチ１０７がＯＮ状態になる。その結果、ＯＮ状態を示すＯＮ信号が通信線４を経て施錠指示部５に至り、該施錠指示部５は、窓戸３が「閉戸状態」であることを認識する。以上より、窓戸３の閉戸状態の認識と、可動板１０６と連結板１１１との係合状態の解除はほぼ同時に発生する。
【００５０】
更に、窓戸３の閉戸状態が認識されると、施錠指示部５はソレノイド１０９に対して励磁指示を出す。その結果、ソレノイド１０９は励磁されて連結板１１１を上方に持ち上げる動作を行う。ソレノイド１０９の励磁による作用については、図１０に示されている。図１０（ａ）および（ｂ）は、消磁状態におけるソレノイド１０９近傍の、施錠ユニット１００内の構成要素の状態を、それぞれ側面図、正面図として示しており、図１０（ｃ）は、励磁状態における各構成要素の状態を（ｂ）と同様に正面図として示している。連結板１１１の上部側の先端部に当たる第二胴部１１１ｆは、付勢バネ１１０を介してソレノイド１０９の出力軸に連結されており、ソレノイド１０９が消磁状態から励磁状態に至ると、付勢バネ１１０からの付勢力のサポートとともにその出力軸がソレノイド１０９本体から突出して、結果的に連結板１１１の第二胴部１１１ｆをΔｈだけ垂直方向に持ち上げる。その結果、図８（ｃ）に示すように、可動板１０６の突起部１０６ｄは、相対的に、連結板１１１の第一胴部１１１ｅの右側側部を沿って第二脚部１１１ｂの基部辺りに変位する。即ち、可動板１０６と連結板１１１との係合状態の解除後に、ソレノイド１０９の作用により連結板１１１が施錠を行うための位置に変位した状態が、図８（ｃ）に示す状態である。以上のソレノイド１０９による、連結板１１１の施錠のための変位を、以下では「施錠変位」と言う。
【００５１】
ここで、連結板１１１の施錠変位による施錠鍵部１０４の施錠動作について、図１１に基づいて説明する。図１１（ａ）は、施錠鍵部１０４による施錠が行われていないときの、連結板１１１と施錠鍵部１０４との相対関係を示す図であり、図１０（ａ）、（ｂ）や図８（ａ）、（ｂ）に対応する。一方で、図１１（ｂ）は、施錠鍵部１０４による施錠が行われたときの、連結板１１１と施錠鍵部１０４との相対関係を示す図であり、図１０（ｃ）や図８（ｃ）に対応する。
【００５２】
施錠鍵部１０４は、回転軸１０４ｄを中心として回転可能に軸支されており、回転して鍵部１０４ｅが図１１（ａ）に示す鉛直状態から図１１（ｂ）に示す水平状態に至ることで、鍵部１０４ｅが窓戸３側に設けられた鍵受け１１３内の鍵穴１１４に挿入され、窓戸３が施錠状態に至る。ここで、この施錠鍵部１０４の回転動作は、連結板１１１の上記施錠変位によって生じる。図１１（ａ）に示すように、施錠鍵部１０４には、切欠側部１０４ａと切欠側部１０４ｂで形成された、斜め左下方向に開口した切欠部が設けられている。また、ケーシング１１にも切欠溝１０４ｃが設けられている。前者の切欠部には連結板１１１の第一脚部１１１ａ先端に設けられた突起部１１１ｃが嵌めこまれており、後者の切欠溝１０４ｃには連結板１１１の第二脚部１１１ｂ先端に設けられた突起部１１１ｄが、比較的広めの遊びを含む状態で嵌めこまれている。
【００５３】
このような状態で、連結板１１１がソレノイド１０９によって施錠変位すると、各突起部と切欠部、切欠溝との相対関係から、突起部１１１ｃは施錠鍵部１０４を回転させ、突起部１１１ｄは連結板１１１の垂直方向の動きをガイドすることで、施錠鍵部１０４が図１１（ｂ）の状態に回転変位させられる。尚、図１１（ｂ）の状態では、連結板１１１が拘束要因となっているため、施錠鍵部１０４が逆回転して図１１（ａ）の状態に戻ることが制限される。施錠鍵部１０４を図１１（ａ）の状態に戻すためには、ソレノイドを消磁状態にすることで、連結板１１１が下方に変位（上記施錠変位とは逆方向の変位であって、以降「解錠変位」と言う。）し、以て施錠鍵部１０４が逆回転する。
【００５４】
以上より、ローラー部１０１が押し込み力を受けて窓戸３の見込み方向に変位することで、可動板１０６と連結板１１１との係合状態が解除され、その時点でソレノイド１０９が励磁されると連結板１１１が施錠変位して施錠鍵部１０４が回転変位し、以て窓戸３の施錠が実行される。尚、窓戸３の解錠は、施錠された状態においてソレノイド１０９が消磁されることで連結板１１１が解錠変位することで、図８（ｂ）に示す状態に至る。この状態で更に窓戸３が開いた状態となると、図８（ａ）に示す状態にまで戻る。
【００５５】
＜施錠表示部について＞
施錠ユニット１００においては、施錠表示部は、解錠ボタン１１２によって機械的に施錠状態を表示する表示部と、マイクロスイッチ１０８および施錠指示部５によって電気的処理を介して施錠状態を表示する表示部とがある。先ず、前者の表示部について説明する。解錠ボタン１１２は、図５に示すように連結板１１１の第二胴部１１１ｆの上部に連結されている。そして、施錠鍵部１０４による施錠が行われていないときは、図１０（ｂ）に示すように連結板１１１は施錠ユニット１００のより内部に位置しているため、解錠ボタン１１２も施錠ユニット１００内に収納された状態となる（図１０においては、解錠ボタン１１２は図示省略）。その後、連結板１１１の施錠変位により連結板１１１の高さがΔｈ高くなると、解錠ボタン１１２が施錠ユニット１００から飛び出した状態となり、図５に示す状態となる。このように、解錠ボタン１１２が機械的に施錠ユニット１００から飛び出した状態となることで、ユーザは窓戸３に対して施錠が行われていることを確認することができる。
【００５６】
尚、ユーザはこの施錠ユニット１００から飛び出した解錠ボタン１１２に対して、強制的にそれを施錠ユニット１００内に押し込む方向に力を加えることで、連結板１１１を強制的に解錠変位させて、施錠ユニット１００による施錠を解除させることも可能である。
【００５７】
次に後者の表示部について説明する。図１０（ａ）、（ｂ）に示すように、連結板１１１の第二胴部１１１ｆには、突起部１１１ｈが設けられている。この突起部１１１ｈは、図１０（ａ）、（ｂ）の状態では、マイクロスイッチ１０８の検知部１０８ａを押し込んだ状態、即ちマイクロスイッチ１０８のＯＮ状態が形成されている。そして、ソレノイド
１０９によって連結板１１１が施錠変位されると、図１０（ｃ）に示す状態に至り、突起部１１１ｈが検知部１０８ａと離れマイクロスイッチ１０８のＯＦＦ状態が形成される。このマイクロスイッチ１０８の状態の変化が通信線４を経て施錠指示部５に伝えられ、施錠表示部５ｂが点灯される。これにより、ユーザは窓戸３に対して施錠が行われていることを確認することができる。
【００５８】
＜施錠ユニットの取り付けについて＞
本発明に係る施錠ユニット１００は、上述したとおり各窓戸３ａ、３ｂに対応するように設けられる。そこで、図１２Ａおよび図１２Ｂに、各窓戸３ａ、３ｂ用の施錠ユニット１００の取り付けの具体例を示す。図１２Ａは、引き違い式の窓戸において外障子となる窓戸３ｂに対応する施錠ユニット１００の取付けを示し、図１２Ｂは、引き違い式の窓戸において内障子となる窓戸３ａに対応する施錠ユニット１００の取付けを示している。
【００５９】
先ず外障子となる窓戸３ｂに対しては、図１２Ａに示すように施錠ユニット１００は、固定窓枠２の内側であって、窓戸３ｂと干渉しない室内側の場所に配置される。施錠ユニット１００がこの位置に配置されることで、窓戸３ｂが図１２Ａに示すように閉戸状態に至ると、施錠鍵部１０４が鍵穴１１４に挿入されて、窓戸３ｂは施錠状態に至る。一方で内障子となる窓戸３ａに対しては、図１２Ｂに示すように施錠ユニット１００は、固定窓枠２の室内側表面上に配置される。施錠ユニット１００がこの位置に配置されることで、窓戸３ａが図１２Ｂに示すように閉戸状態に至ると、施錠鍵部１０４が鍵穴１１４に挿入されて、窓戸３ａは施錠状態に至る。
【００６０】
このように各窓戸に対応させて施錠ユニット１００を固定窓枠２側に取り付けることで、窓戸３と固定窓枠２との間に存在するクリアランスの影響を可及的に小さく抑えることが可能となり、窓戸３の閉戸状態をより正確に検知することが可能となり、結果的には窓戸の確実な施錠に帰結する。尚、図１２Ａ、図１２Ｂに示す施錠ユニット１００の取り付け態様は一例であり、各窓戸３ａ、３ｂのそれぞれに対応させて施錠ユニット１００を固定窓枠２側に取り付ける限りにおいては、それ以外の取り付け態様も採用し得る。
【００６１】
＜セキュリティシステム１のセキュリティ制御について＞
以上のように構成される施錠ユニット１００（１０）を用いて形成される、図１に示したセキュリティシステム１で行われる窓戸３の施錠に関するセキュリティ制御について、図１３に基づいて説明する。このセキュリティ制御は、上記所定空間のセキュリティを維持するために行われる制御であり、施錠指示部５およびセキュリティ制御部６の内部に設けられた処理装置が連動して実行する。先ず、Ｓ１０１では、ユーザからの窓戸３の施錠指示を受け付ける。具体的には、ユーザが施錠指示ボタン５ａを押したとき、Ｓ１０１の処理が行われる。Ｓ１０１の処理が終了すると、Ｓ１０２へ進む。
【００６２】
Ｓ１０２では、セキュリティシステム１の管理対象である全ての窓戸３が閉戸状態にあるか否かが判定される。具体的には、施錠指示部５が、各窓戸に対応して設けられた施錠ユニット１００の全てから、それぞれが有するマイクロスイッチ１０７からのＯＮ信号を受信したとき、全ての窓戸が閉戸状態であると判定される。Ｓ１０２で肯定判定されるとＳ１０３へ進み、否定判定されるとＳ１０９へ進む。尚、本実施例において、上記マイクロスイッチ１０７の場合を含め、以降で表示されるマイクロスイッチからの信号は、ＯＮ信号又はＯＦＦ信号の何れかが一例として記載されているが、その記載とは逆の信号（例えば、ＯＮ信号と記載されている場合はＯＦＦ信号あり、ＯＦＦ信号と記載されている場合はＯＮ信号ある。）に基づいて各処理が実行されるようにしてもよい。従って、上記の場合、ユニット１００のそれぞれが有するマイクロスイッチ１０７からの「ＯＦＦ信号」を受信したとき、全ての窓戸が閉戸状態であると判定されるようにしてもよく、以下に示す各処理でも同様である（尚、個別具体的な記載は割愛する。）。
【００６３】
Ｓ１０３では、各窓戸に対応して設けられた施錠ユニット１００の全てに対して、施錠指示部５から施錠指示が出される。具体的には、施錠指示部５から各施錠ユニット１００のソレノイド１０９に対して励磁指示が出される。この結果、ソレノイド１０９が励磁することで連結板１１１が施錠変位して、各施錠ユニット１００の有する施錠鍵部１０４が回転動作して、各窓戸の施錠が実行される。Ｓ１０３の処理が終了すると、Ｓ１０４へ進む。
【００６４】
Ｓ１０４では、全ての窓戸において施錠が完了したか否かが判定される。具体的には、施錠指示部５が、各窓戸に対応して設けられた施錠ユニット１００の全てから、それぞれが有するマイクロスイッチ１０８からのＯＦＦ信号を受信したとき、全ての窓戸において施錠が完了したと判定される。Ｓ１０４で肯定判定されるとＳ１０５へ進み、否定判定されるとＳ１０９へ進む。
【００６５】
Ｓ１０５では、施錠指示部５の施錠表示部５ｂを点灯させて、ユーザに対して施錠状態であることを示している。尚、上述したように、これと同時に各施錠ユニット１００では解錠ボタン１１２が施錠ユニット１００から飛び出すことでもユーザに対する通知が行われる。Ｓ１０５の処理が終了すると、Ｓ１０６へ進む。また、Ｓ１０２又はＳ１０４で否定判定されたとき進むＳ１０９では、ユーザに対して、窓戸が閉戸状態になっていない、もしくは窓戸で完全に施錠が行われていないことを示すために、アラーム表示が行われる。例えば、施錠指示部５の施錠表示部５ｂと解錠表示部５ｃとを点滅させることで、アラーム表示とする。Ｓ１０９の処理後、本セキュリティ制御を終了する。
【００６６】
Ｓ１０６では、窓戸３の全てが施錠状態になったことをトリガーとして、セキュリティ制御部６によるセキュリティ管理を開始する。このセキュリティ管理については、従来から行われている管理であるため、その詳細な説明は割愛するが、例えば、セキュリティ管理実行中に窓戸３が固定窓枠２に対して相対移動した場合等には、Ｓ１０７においてセキュリティ異常と判定して、Ｓ１１０でアラーム表示を行う。このＳ１１０におけるアラーム表示は、セキュリティ制御部６によるアラーム表示で、ユーザへのアラーム音での通知や、警察や警備会社への自動通知等が行われる。一方で、セキュリティ管理中に異常が生じない場合には、Ｓ１０７で否定判定されてＳ１０８へ進み、そこでセキュリティ管理の終了指示が、セキュリティ制御部６から出されたか否かが判定される。Ｓ１０８で肯定判定されると本制御を終了し、否定判定されるとＳ１０７以降の処理が繰り返して行われ、セキュリティ管理が継続される。
【００６７】
本セキュリティ制御によると、施錠ユニット１００を用いた精度の高い窓戸の閉戸状態の検知結果に基づいて、全窓戸の確実な施錠を実行することが可能となる。更には、その施錠状態に基づいてセキュリティ管理が行われることで、窓戸３が備えられる上記所定空間の安全性、防犯性を高く維持することが可能となる。
【実施例２】
【００６８】
本発明に係るセキュリティシステム１で採用可能な施錠ユニットの第二の実施例を、図１４および図１５に基づいて説明する。本実施例においては、施錠ユニットには２００の参照番号を付して、以下に説明する。施錠ユニット２００は、ロックスイッチ２０１、モータ２０２、手動レバー２０３、カム２０４、フック２０５、開閉スイッチ２０６で構成される。また、施錠ユニット２００は、上記の実施例１の場合と同様に、窓戸３のそれぞれに対応するように固定窓枠２に設けられる。更に、施錠ユニット２００に対応して窓戸３側には、図１４に示すような階段状の係合突起２５０が設けられている。この係合突起２５０は、施錠ユニット２００のそれぞれに対応するように窓戸３側に設けられ、突起の高い部分と低い部分の二段構成となっている。
【００６９】
施錠ユニット２００においては、フック２０５と係合突起２５０とが係合することで、窓戸３が固定窓枠２に対して施錠されることになる。ここで、図１５に基づいて、施錠ユニット２００の動きについて説明する。図１５（ａ）は窓戸３が開いた状態であって、即ち施錠ユニット２００と係合突起２５０とが接触していない状態である。この状態で窓戸３が閉戸状態に至ると、図１５（ｂ）に示す状態となり開閉スイッチ２０６が係合突起２５０の側端部分で押される。これにより、開閉スイッチ２０６が、窓戸３が閉戸状態に至ったことを確実に検知することができ、その検知をトリガーとしてモータ２０２がカム２０４を回転させ、そのカム２０４に連結されているフック２０５が回転支持軸を中心として回転駆動する。この結果、フック２０５が係合突起２５０の高段部分を挟み、フック２０５と係合突起２５０との係合が完了し、図１５（ｃ）の状態に至る。
【００７０】
ここで、フック２０５と係合突起２５０とが係合するとロックスイッチ２０１がＯＮ状態となり、モータ２０２の駆動が停止する。このロックスイッチ２０１のＯＮ状態を示すＯＮ信号が施錠指示部５に伝わることで、施錠表示部５ｂが点灯しユーザに施錠状態であることを知らせる。一方で、モータ２０２によるカム２０４の回転に連動して、手動レバー２０３も回転駆動される。従って、ユーザは手動レバー２０３の状態を確認することでも、施錠ユニット２００が施錠状態になっているか否かを判断することができる。
【００７１】
また、この手動レバー２０３は、カム２０４との間でワンウェイクラッチによって連結されており、施錠状態から解錠状態に至る方向への回転が手動で可能である。そこで、ユーザが施錠状態を示す位置にある手動レバー２０４を解錠状態を示す位置へ強制的に回転させると、フック２０５と係合突起２５０との係合が解除されるとともにロックスイッチ２０１はＯＦＦ状態となり、図１５（ｂ）に示す状態に強制的に戻すことが可能である。尚、この状態では、更に制御指示部５からの指示によりモータ２０２を駆動して、再びフック２０５と係合突起２５０とを係合させることも可能である。
【実施例３】
【００７２】
本発明に係るセキュリティシステム１で採用可能な施錠ユニットの第三の実施例を、図１６〜図２０に基づいて説明する。本実施例においては、施錠ユニットには３００の参照番号を付して、以下に説明する。上記の実施例１における施錠ユニット１００および実施例２における施錠ユニット２００は、窓戸３の閉戸状態を機械的接触によって検知するものであるが、本実施例に係る施錠ユニット３００はその検知を非接触で行うものである。当然に、この施錠ユニット３００も固定窓枠２側に設けられる。
【００７３】
図１６は、施錠ユニット３００の概略構成を示す斜視図であり、図１７は、施錠ユニット３００の概略構成を示す断面図である。施錠ユニット３００は、窓戸３の閉戸状態を検知するためのマグネットセンサ３０５、窓戸３の施錠を行うロック部３０７、ロック部３０７による施錠を制御するソレノイド３０４とソレノイド受け部３０６、ロック部３０７による施錠状態を検知するための施錠検知スイッチ３０２、ロック部３０７による施錠状態に連動して表示位置を変え、ユーザに対して施錠状態か解錠状態のどちらであるかを明確に示すつまみ部３０３、このつまみ部３０３に対して付勢力を与えるバネ３０１で構成される。
【００７４】
施錠ユニット３００に対応する窓戸３側には、マグネット３５０が設置されている。図１８（ａ）に示すように、窓戸３が閉戸状態にないときは窓戸３と施錠ユニット３００とは離れているため、マグネット３５０の磁力をマグネットセンサ３０５が検知することができない。従って、この場合は、マグネットセンサ３０５からの信号はＯＦＦ信号である。この状態から、図１８（ｂ）に示すように窓戸３が閉戸状態となると、マグネットセンサ３０５の直前に窓戸３側のマグネット３５０が位置することになる。これにより、マグ
ネットセンサ３０５からの信号がＯＮ信号となり、施錠ユニット３００は、窓戸３が閉戸状態になったことを非接触で検知し、この検知結果は上記施錠指示部５に送られる。
【００７５】
ここで、ロック部３０７による施錠と、施錠検知スイッチ３０２によるその施錠状態の検知について、図１９に基づいて説明する。ロック部３０７は、本体部３０７ｂ内で飛び出し自在に移動可能な施錠鍵部３０７ｃと、この施錠鍵部３０７ｃの側方から飛び出した横棒３０７ａを有する。更に、このロック部３０７の本体部３０７ｂに対して図面上下方向にスライド可能となるように、つまみ部３０３を形成するつまみケーシング３０３ａが設けられている。このつまみケーシング３０３ａの側方には、斜めに切り込まれた切欠溝３０３ｂが設けられており、上記ロック部３０７の横棒３０７ａは、この切欠溝３０３ｂを貫通するように、ロック部３０７とつまみ部３０３とが配されている。
【００７６】
ここで、マグネットセンサ３０５からの信号がＯＮ信号となると、施錠指示部５からソレノイド３０４に対して励磁指示が出され、ソレノイド３０４がソレノイド受け部３０６を押し出す。その結果つまみ部３０３がつまみケーシング３０３ａとともに下に押し出されることで、図１９（ａ）に示す状態から図１９（ｂ）に示す状態に至る。このとき、本体部３０７ｂとつまみケーシング３０３ａとがスライドするとき、横棒３０７ａが斜めに切り込まれた切欠溝３０３ｂをスライドするため、該横棒３０７ａと連結された施錠鍵部３０７ｃが本体部３０７ｂから前方に飛び出す。その結果、窓戸３に設けられた鍵穴にこの施錠鍵部３０７ｃがはめ込まれることで、窓戸３を固定窓枠に対して施錠することが可能となる。
【００７７】
尚、このとき図１９（ｂ）に示すように、施錠状態では本体部３０７ｂに対して下方にスライドしたつまみケーシング３０３ａが、施錠検知スイッチ３０２と接触し、当該スイッチをＯＮ状態とする。そして、このＯＮ状態を示すＯＮ信号を施錠指示部５が受信することで、ロック部３０７による施錠が行われたことを検知し、施錠表示部５ｂを点灯しユーザに知らせることができる。
【００７８】
また、施錠ユニット３００においては、図２０に示すように、つまみ部３０３が施錠ユニット３００のケーシングから飛び出して、ユーザがつまみ部３０３の位置を確認することができる状態にある。従って、図１９（ａ）に対応する図２０（ａ）では、つまみ部３０３の位置が上側にあり、且つつまみ部３０３の下側の窓３０８の色が赤色に表示される。この赤色はつまみケーシング３０３ａの対応する箇所に塗られている。これにより、ユーザは、簡単に施錠ユニット３００は解錠状態にあることが分かる。一方で、図１９（ｂ）に対応する図２０（ｂ）では、つまみ部３０３の位置が下側にあり、且つつまみ部３０３の上側の窓３０８の色が青色に表示される。この青色はつまみケーシング３０３ａの対応する箇所に塗られている。これにより、ユーザは、簡単に施錠ユニット３００は施錠状態にあることが分かる。
【００７９】
また、ユーザが図２０（ｂ）に示す状態から図２０（ａ）に示す状態になるように、強制的につまみ部３０３の位置を変更しようとすると、上記とは逆の工程を経て施錠鍵部３０７ｃが本体部３０７ｂに収納されるため、施錠ユニット３００による施錠は解除される。このとき、つまみケーシング３０３ａは、つまみ部３０３の移動とともに図１９（ａ）に示す状態に至るため、施錠検知スイッチ３０２とつまみケーシング３０３ａとの接触が解除されて、該スイッチから施錠指示部５へ送られる信号がＯＦＦ状態を示すＯＦＦ信号となる。そこで、施錠指示部５はこのＯＦＦ信号を受信すると、施錠ユニット３００は解錠されたと判断して、解錠表示部５ｃを点灯させてユーザに知らせる。
【図面の簡単な説明】
【００８０】
【図１】本発明の実施の形態に係る窓戸開閉管理システムおよび該システムを利用したセキュリティシステムの概略構成図である。
【図２】図１に示すシステムの基本構成を示す図である。
【図３】図１に示すシステムにおいて、ユーザが施錠指示を出す施錠指示部の構成を示す図である。
【図４】図１に示すシステムにおいて使用される施錠ユニットと、その施錠対象である窓戸との関係を示す第一の図である。
【図５】図１に示すシステムにおいて使用される施錠ユニットと、その施錠対象である窓戸との関係を示す第二の図である。
【図６】本発明の第一の実施例に係る施錠ユニットで使用される可動板の構成を示す図である。
【図７】本発明の第一の実施例に係る施錠ユニットで使用される連結板の構成を示す図である。
【図８】本発明の第一の実施例に係る施錠ユニットにおける窓戸の閉戸状態を検知するための閉戸状態検知部の動きを示す図である。
【図９】本発明の第一の実施例に係る施錠ユニットにおける窓戸の閉戸状態を検知するための閉戸状態検知部を構成する可動板と連結板との相対関係を示す図である。
【図１０】本発明の第一の実施例に係る施錠ユニットにおいて、施錠を行う際の連結板の動きを説明するための図である。
【図１１】本発明の第一の実施例に係る施錠ユニットにおいて、施錠を行う際の施錠鍵部の動きを説明するための図である。
【図１２Ａ】本発明の第一の実施例に係る施錠ユニットの固定窓枠への取り付け態様を示す第一の図である。
【図１２Ｂ】本発明の第一の実施例に係る施錠ユニットの固定窓枠への取り付け態様を示す第二の図である。
【図１３】図１に示すシステムにおいて実行されるセキュリティ制御のフローチャートである。
【図１４】本発明の第二の実施例に係る施錠ユニットの構成を示す図である。
【図１５】図１４で示す施錠ユニットの動きを示す図である。
【図１６】本発明の第三の実施例に係る施錠ユニットの構成を示す斜視図である。
【図１７】本発明の第三の実施例に係る施錠ユニットの構成を示す断面図である。
【図１８】本発明の第三の実施例に係る施錠ユニットにおいて、窓戸を検知するためのマグネットセンサの動作を示す図である。
【図１９】本発明の第三の実施例に係る施錠ユニットにおいて、施錠を行うロック部と施錠状態を検知するための施錠検知スイッチの動作を示す図である。
【図２０】本発明の第三の実施例に係る施錠ユニットにおいて、施錠状態を表示するつまみの動きを示す図である。
【図２１】従来の窓戸のセキュリティシステムの概略構成を示す第一の図である。
【図２２】従来の窓戸のセキュリティシステムの概略構成を示す第二の図である。
【符号の説明】
【００８１】
１  セキュリティシステム
２  固定窓枠
３、３ａ、３ｂ  窓戸
４  通信線
５  施錠指示部
５ａ  施錠指示ボタン
５ｂ  施錠表示部
５ｃ  解錠表示部
６  セキュリティ制御部
１０、１０ａ、１０ｂ  施錠ユニット
１１  ケーシング
１２  開閉検知センサ
１３  施錠確認センサ
１４  施錠鍵部
１００  施錠ユニット
１０１  ローラー部
１０２  ローラー保持部
１０３  ローラー変位部
１０４  施錠鍵部
１０５  付勢バネ
１０６  可動板
１０７  第一のマイクロスイッチ
１０８  第二のマイクロスイッチ
１０９  ソレノイド
１１０  付勢バネ
１１１  連結板
１１２  解錠ボタン
１１３  鍵受け
１１４  鍵穴
１５０  窓戸縁部
２００  施錠ユニット
２０１  ロックスイッチ
２０２  モータ
２０３  手動レバー
２０４  カム
２０５  フック
２０６  開閉スイッチ
２５０  係合突起
３００  施錠ユニット
３０１  バネ
３０２  施錠検知スイッチ
３０３  つまみ部
３０４  ソレノイド
３０５  マグネットセンサ
３０６  ソレノイド受け部
３０７  ロック部
３０８  窓
３５０  マグネット
【図１】
2008223377.tif 000003
【図２】
2008223377.tif 000004
【図３】
2008223377.tif 000005
【図４】
2008223377.tif 000006
【図５】
2008223377.tif 000007
【図６】
2008223377.tif 000008
【図７】
2008223377.tif 000009
【図８】
2008223377.tif 000010
【図９】
2008223377.tif 000011
【図１０】
2008223377.tif 000012
【図１１】
2008223377.tif 000013
【図１２Ａ】
2008223377.tif 000014
【図１２Ｂ】
2008223377.tif 000015
【図１３】
2008223377.tif 000016
【図１４】
2008223377.tif 000017
【図１５】
2008223377.tif 000018
【図１６】
2008223377.tif 000019
【図１７】
2008223377.tif 000020
【図１８】
2008223377.tif 000021
【図１９】
2008223377.tif 000022
【図２０】
2008223377.tif 000023
【図２１】
2008223377.tif 000024
【図２２】
2008223377.tif 000025